(57)【要約】  実施例では、マスターeNB（evolve  NodeB）（MeNB）により、セカンダリeNB（SeNB）によりUE（user  equipment）に送信されるように以前にスケジューリングされた１つ以上のパケット・データ・コンバージェンス（PDCP）パケットを識別する装置、方法、及び記憶媒体が記載され得る。MeNBにより識別されたPDCPパケットは、UEに送信又は再送信されてもよい。更に、実施例は、UEがUEにより実行されるPDCP並び替え処理に関する１つ以上のパラメータを識別することを可能にする装置、方法、及び記憶媒体を含んでもよい。他の実施例が特許請求の範囲に記載されてもよい。
2017503423.tif 000002
【特許請求の範囲】
【請求項１】
UEがセカンダリeNB（evolved  NodeB）（SeNB）から切断するという指示を受信する受信回路と、
前記受信回路に結合され、前記指示に基づいて、前記SeNBにより前記UEに送信されるように以前にスケジューリングされたパケット・データ・コンバージェンス（PDCP）パケットを識別するPDCP回路と、
前記PDCP回路に結合され、前記PDCPパケットを前記UEに送信する送信回路と
を有するeNB。
【請求項２】
前記受信回路は、前記SeNBから前記PDCPパケットを更に受信する、請求項１に記載のeNB。
【請求項３】
前記受信回路は、前記PDCPパケットに関する状態レポートを前記UEから更に受信し、
前記PDCP回路は、前記状態レポートに基づいて前記PDCPパケットを受信する、請求項２に記載のeNB。
【請求項４】
前記PDCP回路は、前記eNBのバッファにおける前記PDCPパケットを識別する、請求項１に記載のeNB。
【請求項５】
前記PDCP回路は、第２のeNBから受信した信号又は前記UEから受信した信号に基づいて前記PDCPパケットを識別する、請求項４に記載のeNB。
【請求項６】
第１のeNBは、マスターeNB（MeNB）である、請求項１ないし５のうちいずれか１項に記載のeNB。
【請求項７】
第１のeNB（evolved  NodeB）により、UE（user  equipment）が第２のeNBから切断することを識別するステップと、
前記第１のeNBにより、前記第２のeNBにより前記UEに送信されるようにスケジューリングされた或いは以前にスケジューリングされたパケット・データ・コンバージェンス・プロトコル（PDCP）パケットを識別するステップと、
前記eNBにより、前記PDCPパケットを前記UEに送信するステップと
を有する方法。
【請求項８】
前記第２のeNBから前記PDCPパケットを受信するステップを更に有する、請求項７に記載の方法。
【請求項９】
前記PDCPパケットは、第１のPDCPパケットであり、
前記eNBにより、状態レポート要求を前記UEに送信するステップと、
前記eNBにより、前記状態レポート要求に応じて前記UEから状態レポートを受信するステップと
を更に有し、
前記状態レポートは、前記第２のeNBから受信した第２のPDCPパケットの指示を含む、請求項８に記載の方法。
【請求項１０】
前記PDCPパケットを識別するステップは、前記第１のeNBのバッファにおける前記PDCPパケットを識別するステップを含む、請求項７に記載の方法。
【請求項１１】
前記PDCPパケットを識別するステップは、前記第２のeNBから受信した信号に基づく、請求項１０に記載の方法。
【請求項１２】
前記DCPパケットを識別するステップは、前記UEから受信した信号に基づく、請求項１０に記載の方法。
【請求項１３】
前記第１のeNBは、マスターeNB（MeNB）であり、前記第２のeNBは、セカンダリeNB（SeNB）である、請求項７ないし１２のうちいずれか１項に記載の方法。
【請求項１４】
UE（user  equipment）の１つ以上のプロセッサによる命令の実行のときに、前記UEに対して、
マスターeNB（evolved  NodeB）（MeNB）から第１のパケット・データ・コンバージェンス・プロトコル（PDCP）パケットを受信させ、
前記第１のPDCPパケットの受信の後に、前記UEがセカンダリeNB（SeNB）から切断するという指示を受信させ、
前記SeNBからの切断の後に、前記SeNBにより送信されるように以前にスケジューリングされた第２のPDCPパケットを前記MeNBから受信させ、
前記UEにより、前記第１及び第２のPDCPパケットにおいて並び替え処理を実行させるコンピュータプログラム。
【請求項１５】
前記並び替え処理は、無線リソース制御（RRC）信号、媒体アクセス制御（MAC）制御要素、又は物理レイヤ信号において前記MeNBから受信したPDCP並び替え指示に基づく、請求項１４に記載のコンピュータプログラム。
【請求項１６】
更に、前記SeNBから切断する前記指示の受信の後に、前記並び替え処理に関するタイマを開始させ、
前記タイマの満了のときに前記並び替え処理を停止させる、請求項１４に記載のコンピュータプログラム。
【請求項１７】
前記タイマの長さは、固定値であるか、RRCConnectionReconfigurationメッセージに基づく、請求項１６に記載のコンピュータプログラム。
【請求項１８】
前記並び替え処理は、前記UEが前記SeNBから切断するという前記指示が受信されたときに、並び替えタイマが動作しているか否かに基づく、請求項１４に記載のコンピュータプログラム。
【請求項１９】
前記並び替え処理は、前記並び替えタイマが動作している場合にのみ実行される、請求項１８に記載のコンピュータプログラム。
【請求項２０】
請求項１４ないし１９のうちいずれか１項に記載のコンピュータプログラムを記憶したコンピュータ読み取り可能媒体。
【請求項２１】
マスターeNB（evolved  NodeB）（MeNB）から第１のパケット・データ・コンバージェンス・プロトコル（PDCP）パケットを受信し、セカンダリeNB（SeNB）からUE（user  equipment）に送信されるように以前にスケジューリングされた第２のPDCPパケットを前記MeNBから受信する受信回路と、
前記受信回路に結合され、前記UEが前記SeNBから切断することを識別し、前記SeNBからの切断に続いて、前記第１及び第２のPDCPパケットにおいて並び替え処理を実行するPDCP回路と
を有するUE。
【請求項２２】
前記受信回路は、更に、無線リソース制御（RRC）信号、媒体アクセス制御（MAC）制御要素、又は物理レイヤ信号において前記MeNBから前記並び替え処理に関するPDCP並び替え指示を受信する、請求項２１に記載のUE。
【請求項２３】
前記PDCP回路は、更に、前記並び替え処理に関するタイマを開始し、前記タイマの満了のときに前記並び替え処理を停止する、請求項２１に記載のUE。
【請求項２４】
前記タイマの長さは、固定値であるか、RRCConnectionReconfigurationメッセージに基づく、請求項２３に記載のUE。
【請求項２５】
前記PDCP回路は、前記UEが前記SeNBから切断するという指示が前記受信回路により受信されたときに並び替えタイマが動作している場合にのみ、前記並び替え処理を実行する、請求項２１に記載のUE。
【請求項２６】
前記受信回路に結合されたベースバンド回路を更に有する、請求項２１ないし２５のうちいずれか１項に記載のUE。
【請求項２７】
マスターeNB（evolved  NodeB）（MeNB）から第１のパケット・データ・コンバージェンス・プロトコル（PDCP）パケットを受信し、UE（user  equipment）への送信のためにセカンダリeNB（SeNB）に以前に提供されたが前記SeNBにより前記UEに送信されていない第２のPDCPパケットを前記MeNBから受信する受信回路と、
前記受信回路に結合され、前記SeNBからの前記UEの切断に続いて、前記第１及び第２のPDCPパケットを含む複数のパケットにおいて並び替え処理を実行するPDCP回路と
を有するUE。
【請求項２８】
前記受信回路は、更に、無線リソース制御（RRC）信号、媒体アクセス制御（MAC）制御要素、又は物理レイヤ信号において前記MeNBから前記並び替え処理に関するPDCP並び替え指示を受信する、請求項２７に記載のUE。
【請求項２９】
前記PDCP回路は、更に、前記並び替え処理に関するタイマを開始し、前記タイマの満了のときに前記並び替え処理を停止する、請求項２７に記載のUE。
【請求項３０】
前記タイマの長さは、固定値であるか、RRCConnectionReconfigurationメッセージに基づく、請求項２９に記載のUE。
【請求項３１】
前記PDCP回路は、前記UEが前記SeNBから切断するという指示が前記受信回路により受信されたときに並び替えタイマが動作している場合にのみ、前記並び替え処理を実行する、請求項２７に記載のUE。
【請求項３２】
前記受信回路に結合されたベースバンド回路を更に有する。請求項２７ないし３１のうちいずれか１項に記載のUE。
【請求項３３】
UE（user  equipment）の１つ以上のプロセッサによる命令の実行のときに、前記UEに対して、
マスターeNB（evolved  NodeB）（MeNB）からの第１のパケット・データ・コンバージェンス・プロトコル（PDCP）パケットを識別させ、
セカンダリeNB（SeNB）からの切断の後に、前記UEへの送信のための前記SeNBに以前に提供された前記MeNBからの第２のPDCPパケットを識別させ、
前記UEにより、前記第１及び第２のPDCPパケットにおいて並び替え処理を実行させるコンピュータプログラム。
【請求項３４】
前記並び替え処理は、無線リソース制御（RRC）信号、媒体アクセス制御（MAC）制御要素、又は物理レイヤ信号において前記MeNBから受信したPDCP並び替え指示に基づく、請求項３３に記載のコンピュータプログラム。
【請求項３５】
更に、前記SeNBから切断する指示の受信の後に、前記並び替え処理に関するタイマを開始させ、
前記タイマの満了のときに前記並び替え処理を停止させる、請求項３３又は３４に記載のコンピュータプログラム。
【請求項３６】
前記タイマの長さは、固定値であるか、RRCConnectionReconfigurationメッセージに基づく、請求項３５に記載のコンピュータプログラム。
【請求項３７】
前記並び替え処理は、前記UEが前記SeNBから切断するという指示が受信されたときに、並び替えタイマが動作しているか否かに基づく、請求項３３又は３４に記載のコンピュータプログラム。
【請求項３８】
前記並び替え処理は、前記並び替えタイマが動作している場合にのみ実行される、請求項３７に記載のコンピュータプログラム。
【請求項３９】
請求項３３ないし３８のうちいずれか１項に記載のコンピュータプログラムを記憶したコンピュータ読み取り可能媒体。
【請求項４０】
UE（user  equipment）により、マスターeNB（evolved  NodeB）（MeNB）からの第１のパケット・データ・コンバージェンス・プロトコル（PDCP）パケットを識別するステップと、
前記UEにより、セカンダリeNB（SeNB）からの切断の後に、前記UEへの送信のための前記SeNBに以前に提供された前記MeNBからの第２のPDCPパケットを識別するステップと、
前記UEにより、前記第１及び第２のPDCPパケットにおいて並び替え処理を実行するステップと
を有する方法。
【請求項４１】
前記UEにより、無線リソース制御（RRC）信号、媒体アクセス制御（MAC）制御要素、又は前記MeNBから受信した物理レイヤ信号に基づいて、前記並び替え処理が基づくPDCP並び替え指示を識別するステップを更に有する、請求項４０に記載の方法。
【請求項４２】
前記UEにより、前記SeNBから切断する指示の受信の後に、前記並び替え処理に関するタイマを開始するステップと、
前記UEにより、前記タイマの満了のときに前記並び替え処理を停止するステップと
を更に有する、請求項４０又は４１に記載の方法。
【請求項４３】
前記タイマの長さは、固定値であるか、RRCConnectionReconfigurationメッセージに基づく、請求項４２に記載の方法。
【請求項４４】
前記並び替え処理は、前記UEが前記SeNBから切断するという指示が前記UEにより受信されたときに、並び替えタイマが動作しているか否かに基づく、請求項４０又は４１に記載の方法。
【請求項４５】
前記並び替え処理は、前記並び替えタイマが動作している場合にのみ実行される、請求項４４に記載の方法。
【請求項４６】
UE（user  equipment）がセカンダリeNB（evolved  NodeB）（SeNB）から切断するという指示に基づいて、前記SeNBにより前記UEへの送信のために前記SeNBに以前に提供されたパケット・データ・コンバージェンス・プロトコル（PDCP）パケットを識別するPDCP回路と、
前記PDCP回路に結合され、前記PDCPパケットを前記UEに送信する送信回路と
を有するeNB。
【請求項４７】
受信回路は、前記SeNBから前記PDCPパケットを更に受信する、請求項４６に記載のeNB。
【請求項４８】
前記受信回路は、前記PDCPパケットに関する状態レポートを前記UEから更に受信し、
前記PDCP回路は、前記状態レポートに基づいて前記PDCPパケットを識別する、請求項４７に記載のeNB。
【請求項４９】
前記PDCP回路は、前記eNBのバッファにおける前記PDCPパケットを識別する、請求項４６に記載のeNB。
【請求項５０】
前記PDCP回路は、第２のeNBから受信した信号又は前記UEから受信した信号に基づいて前記PDCPパケットを識別する、請求項４９に記載のeNB。
【請求項５１】
第１のeNBは、マスターeNB（MeNB）である、請求項４６ないし５０のうちいずれか１項に記載のeNB。
【請求項５２】
前記PDCPパケットは、前記SeNBにより前記UEに送信されていない、請求項４６ないし５０のうちいずれか１項に記載のeNB。
【発明の詳細な説明】
【技術分野】
【０００１】
［関連出願への相互参照］
この出願は、2014年1月30日に“Advanced  Wireless  Communication  Systems  and  Techniques”という名称で出願された米国仮特許出願第61/933,847号の優先権を主張して、2014年9月24日に“PACKET  DATA  CONVERGENCE  PROTOCOL  (PDCP)  ENHANCEMENTS  IN  DUAL-CONNECTIVITY  NETWORKS”という名称で出願された米国特許出願第14/495825号の優先権を主張する。これらの出願の全体の明細書が、この明細書と矛盾するセクションが存在する場合にはこれらのセクションを除いて、全ての目的について全内容を参照により援用する。
【０００２】
［技術分野］
本発明の実施例は、概してデュアルコネクティビティ・ネットワークにおけるパケット・データ・コンバージェンス・プロトコル（PDCP：packet  data  convergence  protocol）レイヤの使用の技術分野に関する。
【背景技術】
【０００３】
ここで提供される背景技術の説明は、概して開示の背景を提示する目的のためのものである。この背景技術のセクションに記載されている範囲でのここに名前のある発明者の研究、及び別の方法で出願時に従来技術として適さない可能性がある説明の態様は、この開示に対する従来技術として明確に或いは暗示的に認められない。ここに示さない限り、このセクションに記載の手法は、この開示の請求項への従来技術ではなく、このセクションに含まれることにより従来技術として認められるものではない。
【０００４】
デュアルコネクティビティ・ネットワークは、UE（user  equipment）が１つより多くのセルサイトに同時に接続することができるネットワークでもよい。セルサイトは、eNB（evolved  NodeB）と考えられてもよい。UEが２つ（以上）のeNBに接続する場合、双方のeNBからデータを同時に受信してもよい。実施例では、eNBの１つは、マスターeNB（MeNB：Master  eNB）と考えられてもよく、eNBの他のものは、セカンダリeNB（SeNB：Secondary  eNB）と考えられてもよい。
【０００５】
或るデュアルコネクティビティ・ネットワークでは、MeNBは、UEへのPDCPパケットの送信を管理してもよい。PDCPパケットはまた、PDCPサービスデータユニット（SDU：service  data  unit）と呼ばれてもよい。具体的に、SeNBがPDCPの他のものをUEに送信する間に、MeNBは、或るPDCPパケットをUEに送信してもよい。しかし、或る場合には、パケットは、UEにより順序外れで受信される可能性がある。例えば、メッセージが1、2、3、及び4の順序付きのパケットを含む場合、SeNBがパケット2及び4を送信し得る間に、MeNBは、パケット1及び3を送信してもよい。或る場合には、MeNBからのパケットがUEに到達する前に、SeNBからのパケットがUEに到達する可能性がある。更に、或る場合には、UEは、パケットの送信中又は送信直後にSeNBから切断する可能性があり、MeNBは、SeNBからのパケットがUEにより成功して受信されたか否かを識別することができない可能性がある。
【図面の簡単な説明】
【０００６】
実施例は、添付図面と共に以下の詳細な説明により容易に理解される。この説明を容易にするために、同様の参照符号は、同様の構成上の要素を示す。実施例は、添付図面の図面において例として示されており、限定として示されていない。
【図１】様々な実施例によるUE及びeNBを有するネットワークのハイレベルな例を概略的に示す図
【図２】様々な実施例によるUE、SeNB、及びMeNBを有するネットワークのハイレベルな例を概略的に示す図
【図３】様々な実施例に従ってUEに再送信され得るPDCPパケットを識別する処理を示す図
【図４】様々な実施例に従ってPDCPパケット並び替えパラメータを識別する処理を示す図
【図５】ここに記載の様々な実施例を実施するために使用され得る例示的なシステムを概略的に示す図
【発明を実施するための形態】
【０００７】
実施例では、MeNBにより、SeNBによりUEに送信するように以前にスケジューリングされた１つ以上のPDCPパケットを識別するための装置、方法、及び記憶媒体が記載され得る。MeNBにより識別されたPDCPパケットは、UEに送信又は再送信されてもよい。或る実施例では、パケットは、SeNBによるパケットの送信に基づいて識別されてもよい。他の実施例では、パケットは、UEから送信されたPDCP状態レポート又はSeNBから送信された指示に基づいて識別されてもよい。
【０００８】
更に、実施例は、UEがUEにより実行されるPDCP並び替え処理に関する１つ以上のパラメータを識別することを可能にするための装置、方法、及び記憶媒体を含んでもよい。或る実施例では、パラメータは、無線リソース制御（RRC：radio  resource  control）メッセージ、媒体アクセス制御（MAC：medium  access  control）制御要素（CE：control  element）、又は物理レイヤチャネルのメッセージに基づいてもよい。他の実施例では、並び替え処理は、MeNBによりUEに指示されたタイマに関してもよい。他の実施例では、並び替え処理は、UEがPDCP処理に関して動作するタイマを以前に有していたか否かに基づいてもよい。他の実施例が特許請求の範囲に記載されてもよい。
【０００９】
以下の詳細な説明では、この一部を形成する添付図面に参照が行われる。ただし、同様の数字は、全体を通じて同様の部分を示し、添付図面には実施され得る実施例が例により示されている。他の実施例も利用されてもよく、この開示の範囲を逸脱することなく、構成的又は論理的な変更が行われてもよいことが分かる。従って、以下の詳細な説明は、限定的な意味で受け取られるべきではない。
【００１０】
様々な動作は、特許請求の範囲の対象物を理解するのに最も有用である方式で、複数の別個のアクション又は動作として順に記載され得る。しかし、説明の順序は、これらの動作が必ずしも順序に依存することを示すものとして解釈されるべきではない。特に、これらの動作は、提示の順序で実行されなくてもよい。記載の動作は、記載の実施例とは異なる順序で実行されてもよい。更なる実施例では、様々な更なる動作が実行されてもよく、及び／又は記載の処理が省略されてもよい。
【００１１】
この開示の目的で、“A及び／又はB”という用語は、(A)、(B)、又は(A及びB)を意味する。この開示の目的で、“A、B、及び／又はC”という用語は、(A)、(B)、(C)、(A及びB)、(A及びC)、(B及びC)、又は(A、B、及びC)を意味する。
【００１２】
この説明は、“一実施例では”又は“実施例では”という用語を使用することがあるが、これらのそれぞれは、同じ又は異なる実施例の１つ以上を示してもよい。更に、“有する”、“含む”、“持つ”等の用語は、この開示の実施例で使用されるときには同義語である。
【００１３】
ここに説明するように、“モジュール”という用語は、システムの１つ以上の物理的又は論理的構成要素又は要素を示すために使用されてもよい。或る実施例では、モジュールは、別個の回路でもよく、他の実施例では、モジュールは複数の回路を含んでもよい。
【００１４】
図１は、様々な実施例による無線通信ネットワーク100（以下では“ネットワーク100）を概略的に示している。ネットワーク100は、eNB105と通信可能に結合されたUE110を含んでもよい。実施例では、ネットワーク100は、3GPP（third  generation  partnership  project）LTE（Long  Term  Evolution）、LTE-A（LTE  Advanced）、及び／又はLTE-U（LTE-Unlicensed）ネットワークでもよい。他の実施例では、ネットワーク100は、他の種類の無線通信ネットワークでもよい。
【００１５】
図１に示すように、UE110は、マルチモード送受信チップと呼ばれてもよい送受信モジュール130を含んでもよい。送受信モジュール130は、LTE、LTE-A、及び／又はLTE-Uプロトコルのような１つ以上のプロトコルを使用して信号を送信及び受信するように構成されてもよい。具体的に、送受信モジュール130は、ネットワーク100の他の構成要素（例えば、eNB105又は他のUE）と無線で通信するために、UE110の複数のアンテナ125のうち１つ以上に結合されてもよい。アンテナ125は、図１に示すように送受信モジュール130の構成要素でもよく、送受信モジュール130とは別個であるが送受信モジュール130に結合されてもよい電力増幅器135により電力供給されてもよい。一実施例では、電力増幅器135は、アンテナ125の全ての送信のために電力を提供してもよい。他の実施例では、UE110に複数の電力増幅器が存在してもよい。複数のアンテナ125の使用は、UE110が空間直交リソース送信ダイバーシチ（SORTD：spatial  orthogonal  resource  transmit  diversity）、MIMO（multiple-input  multiple-output）、又はFD-MIMO（full-dimension  MIMO）のような送信ダイバーシチ技術を使用することを可能にしてもよい。
【００１６】
特定の実施例では、送受信モジュール130は、ブロードバンドモジュールと呼ばれてもよい通信モジュール137を含んでもよい。送受信モジュール130は、アンテナ125に対してUE110から１つ以上の信号を送信させるように構成された送信回路140と、アンテナ125により受信した信号を処理するように構成された受信回路145との双方を含んでもよい。他の実施例では、通信モジュール137は、別個のチップ又はモジュール（例えば、受信回路145を含む１つのチップ及び送信回路140を含む他のチップ）に実現されてもよい。或る実施例では、送信信号又は受信信号は、eNB105に送信されるセルラ信号又はeNB105から受信されるセルラ信号でもよい。或る実施例では、以下に更に詳細に説明するように、通信モジュール137は、１つ以上のPDCPパケット又は信号を識別、生成又は解釈するPDCP回路120を含んでもよい。他の実施例では、以下に更に詳細に説明するように、PDCP回路120は、PDCPパケットの並び替えを実行するように構成されてもよい。他の実施例では、PDCP回路120は、通信モジュール137又は送受信モジュール130の１つ以上と別個であるが、結合してもよい。
【００１７】
UE110と同様に、eNB105は、送受信モジュール150を含んでもよい。送受信モジュール150は、ネットワーク100の他の構成要素（例えば、UE110）と無線で通信するために、eNB105の複数のアンテナ175のうち１つ以上に更に結合されてもよい。アンテナ175は、図１に示すように送受信モジュール150の構成要素でもよく、送受信モジュール150とは別個の構成要素でもよい電力増幅器160により電力供給されてもよい。一実施例では、電力増幅器160は、アンテナ175の全ての送信のために電力を提供してもよい。他の実施例では、eNB105に複数の電力増幅器が存在してもよい。複数のアンテナ175の使用は、eNB105がSORTD、MIMO、又はFD-MIMOのような送信ダイバーシチ技術を使用することを可能にしてもよい。特定の実施例では、送受信モジュール150は、アンテナ175に対してeNB105から１つ以上の信号を送信させるように構成された送信回路165と、アンテナ175により受信した信号を処理するように構成された受信回路170との双方を含んでもよい。他の実施例では、送受信モジュール150は、互いに別個の送信回路165及び受信回路170により置換されてもよい（図示せず）。或る実施例では、図示しないが、送受信モジュール150は、受信回路170及び送信回路165を含む通信モジュール137のような通信モジュールを含んでもよい。或る実施例では、送受信モジュール150は、PDCP回路120と同様でもよいPDCP回路115を含んでもよい。或る実施例では、送受信モジュール150は、バッファ180を更に含んでもよい。バッファ180は、フラッシュメモリ、ダイナミックランダムアクセスメモリ（DRAM：dynamic  random  access  memory）、ダブルデータレートのタイプ４のシンクロナスDRAM（DDR4  SDRAM）又は他の種類のメモリのような永続的なメモリ又は過渡的なメモリでもよい。或る実施例では、バッファ180は、PDCP回路115に結合されてもよく、他の実施例では、PDCP回路115は、バッファの要素でもよく、その逆でもよい。
【００１８】
図２は、ネットワーク100と同様でもよく、UE110及びPDCP回路120と同様でもよいPDCP回路210を備えたUE205を含んでもよいネットワーク200の例を示している。UE205は、eNB105及びPDCP回路115と同様でもよいPDCP回路220を備えたMeNB215に通信可能に結合されてもよい。具体的に、UE205及びMeNB215は、無線リンク230を介して結合されてもよく、無線リンクは、Uu無線リンク又は無線ベアラでもよい。無線リンク230は、MeNB-UE無線リンクと呼ばれてもよい。或る実施例では、MeNB215は、図１のバッファ180と同様でもよいバッファ255を更に含んでもよい。前述のように、或る実施例では、図示のように、バッファ255は、PDCP回路220に結合されてもよい。他の実施例では、バッファ255は、PDCP回路220の要素でもよく、その逆でもよい。
【００１９】
UE205は、eNB105と同様でもよいSeNB225に更に結合されてもよい。UE205は、無線リンク235を介してSeNB225に結合されてもよく、無線リンクは、Uu無線リンク又は無線ベアラでもよい。無線リンク235は、SeNB-UE無線リンクと呼ばれてもよい。SeNB225及びMeNB215は、無線リンク240を介して結合されてもよく、無線リンク240は、X2無線リンク又は無線ベアラでもよい。
【００２０】
図２に示すように、或る実施例では、MeNB215及びSeNB225は、PDCPデータをUE205に送信するように構成されてもよい。PDCPデータは、PDCPパケット1、2、3、及び4を含んでもよい。或る実施例では、MeNB215（特にMeNB215のPDCP回路220）は、PDCPパケット1及び3を送信するように構成されてもよい。SeNB225は、PDCPパケット2及び4を送信するように構成されてもよい。或る実施例では、SeNB225は、MeNB215からPDCPパケット2及び4を受信していてもよい。
【００２１】
この例の目的で特定のPDCPパケットの番号付けのみがここで説明されるが、他の実施例では、より多くのPDCPパケット又はより少ないPDCPパケットが使用されてもよく、使用されるPDCPパケットは異なって番号付け又は指定されてもよいことが分かる。更に、特定の番号のPDCPパケットがMeNB215又はSeNB225から送信されるとして記載される範囲で、他の実施例では、MeNB215及び／又はSeNB225は、異なるパケットを送信してもよい。最後に、ここでの説明では、PDCPパケット、指示、状態レポート等のような特定の要素は、MeNB215、SeNB225、及び／又はUE205のうち１つ以上により送信又は受信されるものとして記載されることが分かる。実施例では、これらの要素は、MeNB215、SeNB225、及び／又はUE205の様々なPDCP回路により実行されてもよいが、明瞭性及び簡潔性のために、MeNB215、SeNB225、及び／又はUE205のみが言及され得る。
【００２２】
前述のように、或る場合には、UE205は、SeNB225から切断してもよい。或る実施例では、UE205は、MeNB215からの解放指示に基づいてSeNB225から切断してもよい。従来のデュアルコネクティビティ・ネットワークでは、MeNB215は、SeNB225がSeNB-UE無線リンク235でPDCPパケット2及び4をUE205に送信したか否かを認識しなくてもよい。更に、MeNB215は、UE205がPDCPパケットを成功して受信したか否かを認識しなくてもよい。
【００２３】
この開示の実施例では、MeNB215は、PDCPパケット2及び4がUE205に転送するためにSeNB-UE無線リンク235でSeNB225に送信された後に、PDCPパケット2及び4をバッファ235に記憶しなくてもよい。この実施例では、SeNB225がUE205により切断された場合、SeNB225は、UE205により確認されていないPDCPパケット又はSeNB225により送信されていないPDCPパケットをMeNB215に転送し戻してもよい。実施例では、SeNB225は、切断処理の一部としてMeNB215及び／又はUE205からの指示に基づいて、或いは切断処理の一部として自発的に、PDCPパケットをMeNB215に転送してもよい。実施例では、PDCPパケットは、X2シグナリングを介してSeNB225によりMeNB215に転送されてもよい。
【００２４】
MeNB215はまた、MeNB-UE無線リンク230を介して要求をUE205に送信してもよい。具体的に、MeNB215は、UE205がSeNB225からUE205により正確に受信された１つ以上のPDCPパケット、及び／又はUEがSeNB225からの再送信を要求したPDCPパケットの指示を送信することを要求してもよい。要求に応じて、MeNB215は、正確に受信されたPDCPパケット、及び／又はUE205がSeNB225からの再送信を要求したパケットのPDCP状態レポートのような指示をUE205から受信してもよい。MeNB215は、SeNB225からUEに送信されるように以前にスケジューリングされたPDCPパケット（例えば、PDCPパケット2及び4）がUEに送信／再送信されるべきであるか否かを識別するために、PDCP状態レポートにおいてUE205から受信したPDCP状態レポートを使用してもよい。PDCP状態レポートは以下に更に詳細に説明する。
【００２５】
この開示の他の実施例では、MeNB215は、UE205に転送するためにSeNB225に送信されたPDCPパケットを、MeNB215のバッファ255に記憶してもよい。例えば、PDCPパケット2及び4がMeNB215によりSeNB225に転送された後に、MeNB215は、PDCPパケット2及び4をバッファ255に記憶してもよい。実施例では、MeNB215は、成功して送信されたPDCPパケット、失敗して送信されたPDCPパケット、又はSeNB225によりUE205に送信されていないPDCPパケットに関する指示を要求してもよい。或る実施例では、指示は、SeNB225及びUE205の一方又は双方から生じてもよい。この指示に基づいて、MeNB215は、SeNB225によりUE205に成功して送信されたPDCPパケットをバッファ255から除去し、送信されていないPDCPパケットを送信してもよく、SeNB225により送信されたがUE205により失敗して受信されたPDCPパケットを再送信してもよい。
【００２６】
SeNB225が指示を提供する実施例では、SeNB225は、X2シグナリングを介して指示をMeNB215に送信してもよい。X2シグナリングは、MeNB215とSeNB225との間で交換されるフロー制御シグナリングに含まれてもよい。
【００２７】
UE205が指示を提供する実施例では、UE205は、PDCP状態レポートにおいて指示を提供してもよい。PDCP状態レポートは、ネットワークの要素により構成されてもよい。例えば、PDCP状態レポートは、MeNB215、SeNB225、ネットワークオペレータ、又はコアネットワークの或るエンティティ若しくはコアネットワークに関連する或るエンティティにより構成されてもよい。例えば、PDCP状態レポートは、コアネットワークのエンティティからUE205により受信された情報要素（IE：information  element）に基づいて構成されてもよい。実施例では、IEは、“PDCP-Config”と呼ばれてもよく、MeNB215へのPDCP状態レポートのUE205により周期的な送信を構成するために使用されてもよい。或る実施例では、PDCP-Config  IEは、MeNB215へのPDCP状態レポートのUE205によるイベントトリガーの送信を構成するために使用されてもよい。
【００２８】
PDCP状態レポートの送信をトリガーし得る例示的なイベントは、特定の数のPDCPパケットのUE205による受信でもよい。特定の数のPDCPパケットが受信された後に、UEは、PDCP状態レポートをMeNB215に送信してもよい。或る実施例では、PDCPパケットの数は、SeNB225から受信したパケットのみを含んでもよく、他の実施例では、PDCPパケットの数は、MeNB215から受信したパケットも含んでもよく、MeNB215から受信したパケットのみを含んでもよい。或る実施例では、以下に説明するように、PDCP状態レポートは、MeNB215からのPDCP状態レポートの明示的な要求に基づいてトリガーされてもよい。
【００２９】
或る実施例では、PDCP-Config  IE又は他のIEは、“禁止タイマ（prohibit  timer）”と呼ばれてもよいタイマの指示を含んでもよい。或る実施例では、禁止タイマは、UE205により受信されるRRC信号又は送信でシグナリングされてもよい。禁止タイマは、UE205がPDCP状態レポートをあまりにも頻繁に送信するのを許可しなくてもよい。このことは、電力又は帯域幅リソースに負荷をかける可能性がある。実施例では、禁止タイマの指示は、所与の期間内に何回UE205がPDCP状態レポートを送信してもよいかの指示を含んでもよい。
【００３０】
或る実施例では、MeNB215は、UE205からPDCP状態レポートを要求してもよい。例えば、或る実施例では、MeNB215は、RRC信号、MAC  CE、又は物理レイヤ信号にPDCP状態レポート要求を含めてもよい。RRC信号は、例えば、RRCConnectionReconfigurationメッセージを含んでもよく、RRCConnectionReconfigurationメッセージは、UE205に対してSeNB225から切断することをトリガーしてもよい。RRCConnectionReconfigurationメッセージにおいて、MeNB215は、UE205がPDCP状態レポートを送信することを明示的に要求してもよい。或いは、UE205は、そのようにする明示的な要求がなくても、RRCConnectionReconfigurationメッセージの受信の際にPDCP状態レポートを自動的に送信するように構成されてもよい。物理レイヤ信号のPDCP状態レポートは、物理下りリンク制御チャネル（PDCCH：physical  downlink  control  channel）送信のような物理レイヤ送信に新たなフィールドを含んでもよい。
【００３１】
図３は、UE205への送信のためのPDCPパケットを識別するためにMeNB215により使用されてもよい処理を示している。まず、300において、MeNB215は、UE205がSeNB225から切断することを識別してもよい。305において、MeNB215は、SeNB225によりUE205に送信されることが意図されたPDCPパケットを識別してもよい。前述のように、PDCPパケットは、UE205及び／又はSeNB225からの１つ以上の指示、送信、又は状態レポートに基づいて識別されてもよい。具体的に、PDCPパケットは、SeNB225からMeNB215へのPDCPパケットの送信に基づいて識別されてもよい。更に又は或いは、PDCPパケットは、（例えば、UE205から送信されたPDCP状態レポートにおける）SeNB225又はUE205からの、送信されていないパケット又はUEにより確認されていないパケットの指示の送信に基づいて識別されてもよい。或る実施例では、PDCPパケットは、UE205からのイベントトリガーのPDCP状態レポートに基づいて識別されてもよい。他の実施例では、PDCPパケットは、ここに記載の他の基準のうち１つ以上に基づいて識別されてもよい。
【００３２】
前述のように、PDCPパケット1、2、3、及び4は、より大きいPDCP送信の順序付きのパケットでもよい。しかし、或る実施例では、PDCPパケットは、順序外れで送信されてもよい。例えば、図２に示すように、MeNB1215は、PDCPパケット1及び3をUE205に送信してもよい。次に、SeNB225が切断されてもよく、MeNB215は、例えば図３の処理により、MeNB215がPDCPパケット2及び4をUE205に送信するべきであることを識別してもよい。次に、MeNB215は、PDCPパケット2及び4を送信してもよい。しかし、その結果、UE205は、以下の順序：1、3、2、及び4でPDCPパケットを受信してもよい。UE205はPDCPパケット3を既に受信しているため、UE205は、PDCP並び替えが実行されない限り、PDCPパケット2を破棄してもよい。PDCP並び替えは、UE205がPDCPパケットを順序外れで（例えば、PDCPパケット1、3、2、及び4）を受信し、パケットを正確な順序（例えば、PDCPパケット1、2、3、及び4）に並び替える処理を示してもよい。
【００３３】
従来のネットワークでは、SeNB225が切断されている場合、UE205は、PDCP並び替えを無効にし、いずれかの動作中の並び替えタイマを停止してもよい。しかし、その結果、前述の例におけるパケット2のようなパケットが失われる可能性がある。或いは、UE205は、ハンドオーバ状況に指定された並び替え処理にデフォルトでなってもよい。しかし、ハンドオーバ並び替え処理が使用される実施例では、UE205は、並び替えタイマを使用しない可能性がある。従って、PDCP並び替え動作が行き詰まる可能性がある。最後に、或る従来のネットワークでは、PDCP並び替えは無効にされなくてもよい。しかし、これらの従来のネットワークでは、PDCP並び替え処理は常に必要であるとは限らない可能性があり、相当な帯域幅又は電力リソースが不要な処理に使用される可能性がある。
【００３４】
ここで説明する実施例では、MeNB215は、UEがPDCP並び替えを無効にすべきであるという指示をUE205に送信してもよい。例えば、或る実施例では、MeNB215は、UE205がPDCP並び替えを無効にすべきであるという指示をRRC信号、MAC  CE、又はPDCCH送信の新たなフィールドのような物理レイヤ信号に含めてもよい。
【００３５】
他の実施例では、UE205は、SeNB225からの切断の一部としてタイマを開始してもよい。例えば、UE205は、UEがMeNB215からRRCConnectionReconfigurationメッセージを受信した場合、タイマを開始してもよい。タイマが満了したときに、UE205は、PDCP並び替えを無効にしてもよい。或る実施例では、タイマは、固定値（例えば、1ミリ秒）の長さでもよい。他の実施例では、タイマの長さは、コアネットワーク、ネットワークオペレータ、MeNB215、又は他の信号によりシグナリングされてもよい。例えば、タイマの長さは、RRCConnectionReconfigurationメッセージでシグナリングされてもよい。
【００３６】
他の実施例では、UE205は、PDCP並び替えが無効にされるべきであるか否かを検出するように構成されてもよい。例えば、並び替え処理自体が並び替えタイマを含んでもよい。UE205は、並び替えタイマが動作しているか否かを識別するように構成されてもよい。UE205がRRCConnectionReconfigurationを受信したときに自動的に並び替えタイマ及び並び替え処理を停止する従来のネットワークに対して、ここでの実施例では、UE205は、タイマの満了のときに並び替えタイマが並び替え処理を進行又は停止することを可能にしてもよい。RRCConnectionReconfigurationメッセージが受信されたときに並び替えタイマが動作していない場合、UE205は、PDCP並び替えを無効にしてもよい。
【００３７】
図４は、PDCP並び替えが無効にされるべきか否かを識別するためにUE205により実行されてもよいハイレベルな処理を示している。まず、400において、UE205は、MeNB215から第１のPDCPパケットを受信してもよい。次に405において、UE205は、UE205がSeNB225から切断するという指示を受信してもよい。前述のように、指示は、例えば、MeNB215から送信されたRRCConnectionReconfigurationメッセージでもよい。次に410において、UE205は、MeNB215から第２のPDCPパケットを受信してもよい。前述のように、或る実施例では、410において受信された第２のPDCPパケットは、SeNB225によりUEに送信されることになっていたPDCPパケットでもよい。
【００３８】
次に、或る実施例では、415において、UE205は、並び替え処理を実行するか否かに関する指示を任意選択で受信してもよい。指示は、例えば、前述のMeNB215から受信した指示（例えば、MAC  CE、RRCメッセージ、又は物理レイヤメッセージ）でもよい。他の実施例では、指示は、例えば前述のRRCConnectionReconfigurationメッセージにおける並び替えタイマの指示でもよい。或る実施例では、UE205は、指示を受信しなくてもよい。次に420において、UE205は、並び替え処理を実行してもよい。例えば、UE205は、指示に基づいて、UE205が並び替え処理を実行することを識別してもよい。或る実施例では、UE205は、前述のようにMeNB215からの並び替えタイマの指示の受信に基づいて並び替え処理を実行するべきであることを識別してもよい。或る実施例では、UE205は、前述のように、動作中のPDCP並び替えタイマの識別に基づいて並び替え処理が実行されることを識別してもよい。
【００３９】
この開示の実施例は、所望のように構成するいずれか適切なハードウェア及び／又はソフトウェアを使用してシステムに実現されてもよい。図５は、ここに記載の様々な実施例を実施するために使用され得る例示的なシステム500を概略的に示している。一実施例では、図５は、１つ以上のプロセッサ505と、プロセッサ505のうち少なくとも１つに結合されたシステム制御モジュール510と、システム制御モジュール510に結合されたシステムメモリ515と、システム制御モジュール510に結合された不揮発性メモリ（NVM：non-volatile  memory）／記憶装置520と、システム制御モジュール510に結合された１つ以上の通信インタフェース525とを有する例示的なシステム500を示している。
【００４０】
或る実施例では、システム500は、ここに記載のUE110又は205として機能することができてもよい。他の実施例では、システム500は、ここに記載のeNB105、SeNB225、及び／又はMeNB215として機能することができてもよい。或る実施例では、システム500は、命令を有する１つ以上のコンピュータ読み取り可能媒体（例えば、システムメモリ及び／又はNVM／記憶装置520）と、１つ以上のコンピュータ読み取り可能媒体に結合され、ここに記載のアクションを実行するモジュールを実現するための命令を実行するように構成された１つ以上のプロセッサ（例えば、プロセッサ505）とを含んでもよい。
【００４１】
一実施例のシステム制御モジュール510は、プロセッサ505のうち少なくとも１つ及び／又はシステム制御モジュール510と通信するいずれか適切なデバイス若しくは構成要素へのいずれか適切なインタフェースを提供するための、いずれか適切なインタフェースコントローラを含んでもよい。
【００４２】
システム制御モジュール510は、システムメモリ515へのインタフェースを提供するためにメモリコントローラモジュール530を含んでもよい。メモリコントローラモジュール530は、ハードウェアモジュール、ソフトウェアモジュール、及び／又はファームウェアモジュールでもよい。
【００４３】
システムメモリ515は、例えば、システム500のためのデータ及び／又は命令をロード及び記憶するために使用されてもよい。一実施例のシステムメモリ515は、例えば、適切なDRAMのようないずれか適切な揮発性メモリを含んでもよい。或る実施例では、システムメモリ515は、DDR4  SDRAMを含んでもよい。
【００４４】
一実施例のシステム制御モジュール510は、NVM／記憶装置520及び通信インタフェース525へのインタフェースを提供するための１つ以上の入出力（I/O）コントローラを含んでもよい。
【００４５】
NVM／記憶装置520は、データ及び／又は命令を記憶するために使用されてもよく、例えば、NVM／記憶装置520は、例えば、フラッシュメモリのようないずれか適切な不揮発性メモリを含んでもよく、及び／又は例えば、１つ以上のハードディスクドライブ（HDD）、１つ以上のコンパクトディスク（CD）ドライブ及び／又は１つ以上のデジタル多用途ディスク（DVD）ドライブのような不揮発性記憶デバイスを含んでもよい。或る実施例では、NVM／記憶装置520は、図１のバッファ180と同様でもよいバッファ580を含んでもよい。
【００４６】
NVM／記憶装置520は、システム500がインストールされてもよいデバイスの物理的な部分である記憶リソースを含んでもよく、このデバイスによりアクセスされてもよいが、必ずしもその一部でなくてもよい。例えば、NVM／記憶装置520は、通信インタフェース525を介してネットワークでアクセスされてもよい。
【００４７】
通信インタフェース525は、システム500が１つ以上のネットワークで通信するため及び／又は他の適切なデバイスと通信するためのインタフェースを提供してもよい。システム500は、１つ以上の無線ネットワーク標準及び／又はプロトコルのいずれかに従って無線ネットワークの１つ以上の構成要素と無線で通信してもよい。或る実施例では、通信インタフェース525は、送受信モジュール130又は150を含んでもよい。或る実施例では、通信インタフェース525は、ベースバンド回路を含んでもよい。
【００４８】
一実施例では、プロセッサ505のうち少なくとも１つは、システム制御モジュール510の１つ以上のコントローラ（例えば、メモリコントローラモジュール530）のロジックと一緒にパッケージ化されてもよい。一実施例では、プロセッサ505のうち少なくとも１つは、システム・イン・パッケージ（SiP：System  in  Package）を形成するようにシステム制御モジュール510の１つ以上のコントローラのロジックと一緒にパッケージ化されてもよい。一実施例では、プロセッサ505のうち少なくとも１つは、システム制御モジュール510の１つ以上のコントローラのロジックと同じダイに集積されてもよい。一実施例では、プロセッサ505のうち少なくとも１つは、システム・オン・チップ（SoC：System  on  Chip）を形成するようにシステム制御モジュール510の１つ以上のコントローラのロジックと同じダイに集積されてもよい。
【００４９】
或る実施例では、プロセッサ505は、グラフィックプロセッサ（GPU）（図示せず）、デジタルシグナルプロセッサ（DSP）（図示せず）、無線モデム（図示せず）、デジタルカメラ又はマルチメディア回路（図示せず）、センサ回路（図示せず）、ディスプレイ回路（図示せず）、及び／又はグローバルポジショニング衛星（GPS）回路（図示せず）のうち１つ以上を含んでもよく、或いは１つ以上に結合されてもよい。
【００５０】
様々な実施例では、システム500は、サーバ、ワークステーション、デスクトップコンピューティングデバイス、又はモバイルコンピューティングデバイス（例えば、ラップトップコンピューティングデバイス、ハンドヘルドコンピューティングデバイス、タブレット、ネットブック、スマートフォン、ゲームコンソール等）でもよいが、これらに限定されない。様々な実施例では、システム500は、より多い構成要素又はより少ない構成要素を有してもよく、及び／又は異なるアーキテクチャを有してもよい。例えば、或る実施例では、システム500は、カメラ、キーボード、液晶ディスプレイ（LCD）画面（タッチスクリーンディスプレイを含む）、不揮発性メモリポート、複数のアンテナ、グラフィックチップ、特定用途向け集積回路（ASIC）、及びスピーカのうち１つ以上を含む。
【００５１】
＜例＞
例１は、eNB（evolved  NodeB）を含んでもよく、UEがセカンダリeNB（SeNB）から切断するという指示を受信する受信回路と、受信回路に結合され、指示に基づいて、SeNBによりUEに送信されるように以前にスケジューリングされたパケット・データ・コンバージェンス（PDCP）パケットを識別するPDCP回路と、PDCP回路に結合され、PDCPパケットをUEに送信する送信回路とを有する。
【００５２】
例２は、請求項１に記載のeNBを含んでもよく、受信回路は、SeNBからPDCPパケットを更に受信する。
【００５３】
例３は、請求項２に記載のeNBを含んでもよく、受信回路は、PDCPパケットに関する状態レポートをUEから更に受信し、PDCP回路は、状態レポートに基づいてPDCPパケットを受信する。
【００５４】
例４は、請求項１に記載のeNBを含んでもよく、PDCP回路は、eNBのバッファにおけるPDCPパケットを識別する。
【００５５】
例５は、請求項４に記載のeNBを含んでもよく、PDCP回路は、第２のeNBから受信した信号又はUEから受信した信号に基づいてPDCPパケットを識別する。
【００５６】
例６は、請求項１ないし５のうちいずれか１項に記載のeNBを含んでもよく、第１のeNBは、マスターeNB（MeNB）である。
【００５７】
例７は、方法を含んでもよく、第１のeNB（evolved  NodeB）により、UE（user  equipment）が第２のeNBから切断することを識別するステップと、第１のeNBにより、第２のeNBによりUEに送信されるようにスケジューリングされた或いは以前にスケジューリングされたパケット・データ・コンバージェンス・プロトコル（PDCP）パケットを識別するステップと、eNBにより、PDCPパケットをUEに送信するステップとを有する。
【００５８】
例８は、請求項７に記載の方法を含んでもよく、第２のeNBからPDCPパケットを受信するステップを更に有する。
【００５９】
例９は、請求項８に記載の方法を含んでもよく、PDCPパケットは、第１のPDCPパケットであり、eNBにより、状態レポート要求をUEに送信するステップと、eNBにより、状態レポート要求に応じてUEから状態レポートを受信するステップとを更に有し、状態レポートは、第２のeNBから受信した第２のPDCPパケットの指示を含む。
【００６０】
例１０は、請求項７に記載の方法を含んでもよく、PDCPパケットを識別するステップは、第１のeNBのバッファにおけるPDCPパケットを識別するステップを含む。
【００６１】
例１１は、請求項１０に記載の方法を含んでもよく、PDCPパケットを識別するステップは、第２のeNBから受信した信号に基づく。
【００６２】
例１２は、請求項１０に記載の方法を含んでもよく、PDCPパケットを識別するステップは、UEから受信した信号に基づく。
【００６３】
例１３は、請求項７ないし１２のうちいずれか１項に記載の方法を含んでもよく、第１のeNBは、マスターeNB（MeNB）であり、第２のeNBは、セカンダリeNB（SeNB）である。
【００６４】
例１４は、UE（user  equipment）の１つ以上のプロセッサによる命令の実行のときに、UEに対して、マスターeNB（evolved  NodeB）（MeNB）から第１のパケット・データ・コンバージェンス・プロトコル（PDCP）パケットを受信させ、第１のPDCPパケットの受信の後に、UEがセカンダリeNB（SeNB）から切断するという指示を受信させ、SeNBからの切断の後に、SeNBにより送信されるように以前にスケジューリングされた第２のPDCPパケットをMeNBから受信させ、第１及び第２のPDCPパケットにおいて並び替え処理を実行させる命令を有する１つ以上の過渡的でないコンピュータ読み取り可能媒体を含んでもよい。
【００６５】
例１５は、請求項１４に記載の１つ以上の過渡的でないコンピュータ読み取り可能媒体を含んでもよく、並び替え処理は、無線リソース制御（RRC）信号、媒体アクセス制御（MAC）制御要素、又は物理レイヤ信号においてMeNBから受信したPDCP並び替え指示に基づく。
【００６６】
例１６は、請求項１４に記載の１つ以上の過渡的でないコンピュータ読み取り可能媒体を含んでもよく、命令は、更に、SeNBから切断する指示の受信の後に、並び替え処理に関するタイマを開始し、タイマの満了のときに並び替え処理を停止する。
【００６７】
例１７は、請求項１６に記載の１つ以上の過渡的でないコンピュータ読み取り可能媒体を含んでもよく、タイマの長さは、固定値であるか、RRCConnectionReconfigurationメッセージに基づく。
【００６８】
例１８は、請求項１４に記載の１つ以上の過渡的でないコンピュータ読み取り可能媒体を含んでもよく、並び替え処理は、UEがSeNBから切断するという指示が受信されたときに、並び替えタイマが動作しているか否かに基づく。
【００６９】
例１９は、請求項１８に記載の１つ以上の過渡的でないコンピュータ読み取り可能媒体を含んでもよく、並び替え処理は、並び替えタイマが動作している場合にのみ実行される。
【００７０】
例２０は、UE（user  equipment）を含んでもよく、マスターeNB（evolved  NodeB）（MeNB）から第１のパケット・データ・コンバージェンス・プロトコル（PDCP）パケットを受信し、セカンダリeNB（SeNB）からUEに送信されるように以前にスケジューリングされた第２のPDCPパケットをMeNBから受信する受信回路と、受信回路に結合され、UEがSeNBから切断することを識別し、SeNBからの切断に続いて、第１及び第２のPDCPパケットにおいて並び替え処理を実行するPDCP回路とを有する。
【００７１】
例２１は、請求項２０に記載のUEを含んでもよく、受信回路は、更に、無線リソース制御（RRC）信号、媒体アクセス制御（MAC）制御要素、又は物理レイヤ信号においてMeNBから並び替え処理に関するPDCP並び替え指示を受信する。
【００７２】
例２２は、請求項２０に記載のUEを含んでもよく、PDCP回路は、更に、並び替え処理に関するタイマを開始し、タイマの満了のときに並び替え処理を停止する。
【００７３】
例２３は、請求項２２に記載のUEを含んでもよく、タイマの長さは、固定値であるか、RRCConnectionReconfigurationメッセージに基づく。
【００７４】
例２４は、請求項２０に記載のUEを含んでもよく、PDCP回路は、UEがSeNBから切断するという指示が受信回路により受信されたときに並び替えタイマが動作している場合にのみ、並び替え処理を実行する。
【００７５】
例２５は、請求項２０ないし２４のうちいずれか１項に記載のUEを含んでもよく、受信回路に結合されたベースバンド回路を更に有する。
【００７６】
例２６は、マスターeNB（evolved  NodeB）（MeNB）を含んでもよく、UE（user  equipment）がセカンダリeNB（SeNB）から切断することを識別する手段と、SeNBによりUEに送信されるようにスケジューリングされた或いは以前にスケジューリングされたパケット・データ・コンバージェンス・プロトコル（PDCP）パケットを識別する手段と、PDCPパケットをUEに送信する手段とを有する。
【００７７】
例２７は、請求項２６に記載のMeNBを含んでもよく、SeNBからPDCPパケットを受信する手段を更に有する。
【００７８】
例２８は、請求項２７に記載のMeNBを含んでもよく、PDCPパケットは、第１のPDCPパケットであり、状態レポート要求をUEに送信する手段と、状態レポート要求に応じてUEから状態レポートを受信する手段とを更に有し、状態レポートは、第２のeNBから受信した第２のPDCPパケットの指示を含む。
【００７９】
例２９は、請求項２６に記載のMeNBを含んでもよく、PDCPパケットを識別する手段は、MeNBのバッファにおけるPDCPパケットを識別する。
【００８０】
例３０は、請求項２９に記載のMeNBを含んでもよく、PDCPパケットを識別する手段は、SeNBから受信した信号に基づいてPDCPパケットを識別する。
【００８１】
例３１は、請求項２９に記載のMeNBを含んでもよく、PDCPパケットを識別する手段は、UEから受信した信号に基づいてPDCPパケットを識別する。
【００８２】
例３２は、マスターeNB（evolved  NodeB）（MeNB）の１つ以上のプロセッサによる命令の実行のときに、MeNBに対して、UE（user  equipment）がセカンダリeNB（SeNB）から切断することを識別させ、SeNBによりUEに送信されるようにスケジューリングされた或いは以前にスケジューリングされたパケット・データ・コンバージェンス・プロトコル（PDCP）パケットを識別させ、PDCPパケットをUEに送信させる命令を有する１つ以上の過渡的でないコンピュータ読み取り可能媒体を含んでもよい。
【００８３】
例３３は、請求項３２に記載の１つ以上の過渡的でないコンピュータ読み取り可能媒体を含んでもよく、SeNBからPDCPパケットを受信する命令を更に有する。
【００８４】
例３４は、請求項３３に記載の１つ以上の過渡的でないコンピュータ読み取り可能媒体を含んでもよく、PDCPパケットは、第１のPDCPパケットであり、状態レポート要求をUEに送信し、状態レポート要求に応じてUEから状態レポートを受信する命令を更に有し、状態レポートは、第２のeNBから受信した第２のPDCPパケットの指示を含む。
【００８５】
例３５は、請求項３２に記載の１つ以上の過渡的でないコンピュータ読み取り可能媒体を含んでもよく、PDCPパケットを識別する手段は、MeNBのバッファにおけるPDCPパケットを識別する命令を含む。
【００８６】
例３６は、請求項３５に記載の１つ以上の過渡的でないコンピュータ読み取り可能媒体を含んでもよく、PDCPパケットを識別する命令は、SeNBから受信した信号に基づいてPDCPパケットを識別する命令を含む。
【００８７】
例３７は、請求項３５に記載の１つ以上の過渡的でないコンピュータ読み取り可能媒体を含んでもよく、PDCPパケットを識別する命令は、UEから受信した信号に基づいてPDCPパケットを識別する命令を含む。
【００８８】
例３８は、方法を含んでもよく、UE（user  equipment）により、マスターeNB（evolved  NodeB）（MeNB）から第１のパケット・データ・コンバージェンス・プロトコル（PDCP）パケットを受信するステップと、第１のPDCPパケットの受信の後に、UEがセカンダリeNB（SeNB）から切断するという指示を受信するステップと、UEにより、SeNBからの切断の後に、SeNBにより送信されるように以前にスケジューリングされた第２のPDCPパケットをMeNBから受信するステップと、UEにより、第１及び第２のPDCPパケットにおいて並び替え処理を実行するステップとを有する。
【００８９】
例３９は、請求項３８に記載の方法を含んでもよく、並び替え処理は、無線リソース制御（RRC）信号、媒体アクセス制御（MAC）制御要素、又は物理レイヤ信号においてMeNBから受信したPDCP並び替え指示に基づく。
【００９０】
例４０は、請求項３８に記載の方法を含んでもよく、UEにより、SeNBから切断する指示の受信の後に、並び替え処理に関するタイマを開始するステップと、UEにより、タイマの満了のときに並び替え処理を停止するステップとを更に有する。
【００９１】
例４１は、請求項４０に記載の方法を含んでもよく、タイマの長さは、固定値であるか、RRCConnectionReconfigurationメッセージに基づく。
【００９２】
例４２は、請求項３８に記載の方法を含んでもよく、並び替え処理は、UEがSeNBから切断するという指示が受信されたときに、並び替えタイマが動作しているか否かに基づく。
【００９３】
例４３は、請求項４２に記載の方法を含んでもよく、並び替え処理は、並び替えタイマが動作している場合にのみ実行される。
【００９４】
例４４は、UE（user  equipment）を含んでもよく、マスターeNB（evolved  NodeB）（MeNB）から第１のパケット・データ・コンバージェンス・プロトコル（PDCP）パケットを受信する手段と、第１のPDCPパケットの受信の後に、UEがセカンダリeNB（SeNB）から切断するという指示を受信する手段と、SeNBからの切断の後に、SeNBにより送信されるように以前にスケジューリングされた第２のPDCPパケットをMeNBから受信する手段と、第１及び第２のPDCPパケットにおいて並び替え処理を実行する手段とを有する。
【００９５】
例４５は、請求項４４に記載のUEを含んでもよく、並び替え処理は、無線リソース制御（RRC）信号、媒体アクセス制御（MAC）制御要素、又は物理レイヤ信号においてMeNBから受信したPDCP並び替え指示に基づく。
【００９６】
例４６は、請求項４４に記載のUEを含んでもよく、SeNBから切断する指示の受信の後に、並び替え処理に関するタイマを開始する手段と、タイマの満了のときに並び替え処理を停止する手段とを更に有する。
【００９７】
例４７は、請求項４６に記載のUEを含んでもよく、タイマの長さは、固定値であるか、RRCConnectionReconfigurationメッセージに基づく。
【００９８】
例４８は、請求項４４に記載のUEを含んでもよく、並び替え処理は、UEがSeNBから切断するという指示が受信されたときに並び替えタイマが動作しているか否かに基づく。
【００９９】
例４９は、請求項４８に記載のUEを含んでもよく、並び替え処理は、並び替えタイマが動作している場合にのみ実行される。
【０１００】
説明の目的で特定の実施例が示されて記載されたが、この出願は、ここで説明した実施例のいずれかの適合又は変更をカバーすることを意図する。従って、ここに記載の実施例は、特許請求の範囲のみにより限定されることを明らかに意図する。
【０１０１】
この開示が単数の要素若しくは“第１”の要素又はこれらの等価なものを記載する場合、このような開示は、２つ以上のこのような要素を必要とせず、或いは排除せず、１つ以上のこのような要素を含む。更に、識別された要素の順序の指示（例えば、第１、第２、又は第３）は、要素間を区別するために使用されており、このような要素の必要な数又は限られた数を示すものでなく、暗示するものでもなく、特に言及しない限り、このような要素の特定の位置又は順序を示すものでもない。
【図１】
2017503423.tif 000003
【図２】
2017503423.tif 000004
【図３】
2017503423.tif 000005
【図４】
2017503423.tif 000006
【図５】
2017503423.tif 000007
【国際調査報告】
2017503423.tif 000008
2017503423.tif 000009